(57)【特許請求の範囲】
【請求項１】
受電端子が設けられるパレットと、
複数の駐車スペースのそれぞれに設けられる給電端子と、
前記給電端子と電力供給部との間の電気的な接続状態を制御する制御部と、を備え、
前記制御部は、サービス運転からメンテナンス運転への切替指示を受けると、前記給電端子と前記電力供給部が電気的に非接続となるように、前記接続状態を制御することを特徴とする機械式駐車場。
【請求項２】
複数の給電端子のそれぞれに対応する複数の個別スイッチをさらに備え、
前記制御部は、サービス運転からメンテナンス運転への切替指示を受けると、切替指示において指定された駐車スペースに対応する個別スイッチをオフ作動状態にすることを特徴とする請求項１に記載の機械式駐車場。
【請求項３】
すべての給電端子と前記電力供給部との間に設けられたメインスイッチをさらに備え、
前記制御部は、サービス運転からメンテナンス運転への切替指示を受けると、前記メインスイッチをオフ状態にすることを特徴とする請求項１または２に記載の機械式駐車場。
【請求項４】
前記制御部は、サービス運転からメンテナンス運転への切替指示を受けると、切替指示において指定された駐車スペースに対応する前記給電端子と前記電力供給部とが電気的に非接続となり、且つ、切替指示において指定されなかった駐車スペースに対応する前記給電端子と前記電力供給部とが電気的に接続されるように、前記接続状態を制御することを特徴とする請求項１に記載の機械式駐車場。
【請求項５】
前記制御部は、当該機械式駐車場において所定の異常が生じたことを検知すると、すべての給電端子と前記電力供給部が電気的に非接続となるように前記接続状態を制御することを特徴とする請求項１から４のいずれかに記載の機械式駐車場。
【請求項６】
１つの前記パレットには、複数の受電端子が設けられ、
前記複数の受電端子のうちの１つの受電端子が前記給電端子に電気的に接続されることにより、車両への充電が行われることを特徴とする請求項１から５のいずれかに記載の機械式駐車場。
【発明の詳細な説明】
【技術分野】
【０００１】
本発明は、機械式駐車場に関する。
【背景技術】
【０００２】
一般に、少ないスペースで多数の車両を効率的に駐車できる駐車場として、機械式駐車場が知られている。機械式駐車場も種々の構造が提供されているが、その１つとしてパレットの上に車両を載置し、このパレットを前後或いは左右にレールや溝を利用して移動させることにより、空いているパレットスペースへ運ぶ構成としたパレット式の機械式駐車場が提供されている。また、このパレット式の機械式駐車場にリフト及び立体的な駐車層を組み合わせることにより、より駐車効率を高めた機械式駐車場も提供されている。
【０００３】
一方、近年、低騒音でクリーンな電気自動車やプラグインハイブリッド車（以下これらをＥＶ車と総称する）が普及し始めている。ＥＶ車はそれに搭載されているリチウムイオン電池などの二次電池からの電力を動力源としている。この二次電池を充電するためには、現状数十分から数時間の充電時間が必要である。そこで駐車場にＥＶ車を駐車している時間を利用してＥＶ車の二次電池を充電する技術が提案されている（例えば、特許文献１参照）。
【先行技術文献】
【特許文献】
【０００４】
【特許文献１】特開２０１１−２０８４５８号
【発明の概要】
【発明が解決しようとする課題】
【０００５】
特許文献１に記載される機械式駐車装置では、トレイが格納される駐車室が限定されることによる電気自動車の格納効率の低下を抑止するため、トレイには給電端子に当接しうる２つの受電端子が設けられる。メンテナンス作業の際に、給電端子と当接していない露出した受電端子に接触しても作業者が感電しないように、この２つの受電端子の一方が給電端子に当接すると、他方の受電端子への通電が電磁接触器によって遮断される。しかしながら、電磁接触器はトレイに設けられているため、トレイが移動する際の振動により故障する場合がある。したがって、確実に通電が遮断されている保証はなく、作業者が感電するおそれがある。
【０００６】
本発明は、こうした状況に鑑みてなされたものであり、その目的は、作業者が感電するのを防止できる機械式駐車場の提供にある。
【課題を解決するための手段】
【０００７】
上記課題を解決するために、本発明のある態様の機械式駐車場は、受電端子が設けられるパレットと、複数の駐車スペースのそれぞれに設けられる給電端子と、給電端子と電力供給部との間に設けられるスイッチと、スイッチの作動状態を制御する制御部と、を備える。制御部は、サービス運転からメンテナンス運転への切替指示を受けると、スイッチをオフ作動状態にする。
【０００８】
この態様によると、メンテナンス運転に切り替わると、給電端子と電力供給部との間に設けられるスイッチがオフ作動状態になり、給電端子ひいては受電端子が電力供給部と電気的に切り離される。
【０００９】
なお、以上の構成要素の任意の組み合わせや、本発明の構成要素や表現を方法、装置、システムなどの間で相互に置換したものもまた、本発明の態様として有効である。
【発明の効果】
【００１０】
本発明によれば、作業者が感電するのを防止できる機械式駐車場を提供できる。
【図面の簡単な説明】
【００１１】
【図１】実施の形態に係る機械式駐車場の正面図である。
【図２】図１のＢ１Ｆ格納棚の平面図である。
【図３】電源装置から給電システムへの供給電力の系統を示すブロック図である。
【図４】制御装置の機能および構成を示すブロック図である。
【発明を実施するための形態】
【００１２】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は、実施の形態に係る機械式駐車場１０の正面図である。図２は、Ｂ１Ｆ格納棚１４の平面図である。機械式駐車場１０は、地上に設けられた建物２４の地下に地下３階まで設けられた、いわゆる地下式の機械式駐車場である。
【００１４】
機械式駐車場１０は、地下１階の駐車室であるＢ１Ｆ格納棚１４と、地下２階の駐車室であるＢ２Ｆ格納棚１６と、地下３階の駐車室であるＢ３Ｆ格納棚１８と、複数のＥＶ車対応でない通常パレット３２と、複数のＥＶ車対応パレット１００と、第１移載装置５６と、複数の第２移載装置５８と、リフトフレーム８８と、断面が略矩形の昇降路９６の四隅に支柱として設けられた４本のマスト９０と、昇降装置９４と、複数の給電システム４０と、乗降室１２の外に設けられた操作盤２８と、操作盤２８と接続された制御装置３０と、を備える。
【００１５】
機械式駐車場１０は、パレットを用いたパレット式の駐車場である。このパレット式の機械式駐車場１０は、昇降装置９４を用いて自動車などの車両２０が搭載された状態の通常パレット３２やＥＶ車対応パレット１００（以下、これらをパレットと総称することがある）を昇降させたり、あるいは第１移載装置５６や第２移載装置５８を使用して通常パレット３２やＥＶ車対応パレット１００を面方向に移動させたりすることにより、格納棚に車両２０を駐車させる構成とされている。
【００１６】
機械式駐車場１０へ車両２０を入れたり機械式駐車場１０から車両２０を取り出したりするための乗降室１２は建物２４内に設けられている。乗降室１２は昇降路９６の上端に設けられる。乗降室１２には乗降室１２と昇降路９６とを連通するパレット開口２６が設けられている。このパレット開口２６の大きさは、通常パレット３２およびＥＶ車対応パレット１００がパレット開口２６の周面と干渉することなく通過できるように、平面視でのそれらのパレットの大きさに十分な量のマージンを加えた大きさとされる。
【００１７】
昇降路９６は、鉛直方向（図のｚ方向）に沿って設けられている。昇降路９６は、Ｂ１Ｆ格納棚１４、Ｂ２Ｆ格納棚１６、Ｂ３Ｆ格納棚１８のそれぞれと連通する。昇降路９６の下端には昇降装置９４が設置されている。
【００１８】
平面視した場合に略矩形のリフトフレーム８８は、４本のマスト９０に昇降自在に支持される。リフトフレーム８８の上部には第１移載装置５６が搭載される。昇降装置９４は昇降路９６に沿ってリフトフレーム８８を昇降させる。第１移載装置５６の上部にはパレットが搭載される。第１移載装置５６は、移載方向にパレットを移動可能に構成される。なお、リフトフレーム８８、４本のマスト９０、および昇降装置９４には、本出願人が先に出願した特開２００９−１９７４１７号公報に記載のリフトフレーム、４本のマスト、昇降装置、をそれぞれ適用することができる。
【００１９】
通常パレット３２、ＥＶ車対応パレット１００はいずれも平板状の部材である。通常パレット３２、ＥＶ車対応パレット１００の車両が搭載される上面すなわち車両搭載面３２ａ、１００ａは略矩形である。通常パレット３２およびＥＶ車対応パレット１００は画一的な大きさを有する。
【００２０】
ＥＶ車対応パレット１００は、第１受電ユニット１０４と、第２受電ユニット１０６と、車両搭載面１００ａ上に設けられたコンセント１０２と、を備える。駐車中にＥＶ車２２に充電する場合、ＥＶ車対応パレット１００に搭載されたＥＶ車２２の給電口とコンセント１０２とは給電ケーブル１１０によって電気的に接続される。
【００２１】
第１受電ユニット１０４、第２受電ユニット１０６（以下、これらを受電ユニットと総称することがある）は、車両搭載面１００ａの２つの長辺にそれぞれ設けられる。第１受電ユニット１０４と第２受電ユニット１０６とは図中で破線で示されるようにケーブルによって電気的に接続されている。また、第１受電ユニット１０４および第２受電ユニット１０６は、コンセント１０２と電気的に接続される。
【００２２】
Ｂ１Ｆ格納棚１４、Ｂ２Ｆ格納棚１６、Ｂ３Ｆ格納棚１８はそれぞれ１０の駐車スペース５０を含む。それら１０の駐車スペース５０は、平面視した場合に移載方向（図のｘ方向）に５行、移載方向と実質的に直交する交差方向（図のｙ方向）に２列のマトリクス状に配列される。各駐車スペース５０は通常パレット３２、ＥＶ車対応パレット１００のいずれをも収容可能に構成される。駐車スペース５０はパレットと共に車両が駐車されうる格納棚内の１駐車領域（駐車の１単位）である。駐車スペース５０と駐車スペース５０との間には、駐車スペース５０をまたいでパレットが移動する際にそれを支持する転倒防止ローラ３８が設置される。
【００２３】
給電駐車スペース５２は、給電を要するＥＶ車２２への給電が可能な駐車スペース５０である。給電駐車スペース５２には、給電駐車スペース５２に収容されるＥＶ車対応パレット１００に電力を供給する給電システム４０が設けられる。給電駐車スペース５２は、各格納棚に含まれる１０の駐車スペース５０のうち３箇所に配置される。
なお、機械式駐車場１０のパズル動作により通常パレット３２が給電駐車スペースに進入することもある。
【００２４】
給電システム４０は、給電盤４２と、給電端子（不図示）を有する給電ユニット４４と、を有する。給電盤４２と給電ユニット４４とは図１、図２中の破線で示されるようにケーブルによって電気的に接続されている。給電盤４２は、電源装置（図１、２では不図示）から得られる電力をＥＶ車２２に供給するのに好適な電圧にして給電端子に供給する。給電ユニット４４の給電端子は、ＥＶ車対応パレット１００が給電駐車スペース５２の所定の充電位置に配置されると、そのＥＶ車対応パレット１００が有する第１受電ユニット１０４または第２受電ユニット１０６の受電端子と機械的に接触する。すると、給電システム４０からコンセント１０２および給電ケーブル１１０を介してＥＶ車２２に電力が供給される。
【００２５】
操作盤２８は、機械式駐車場１０の係員または機械式駐車場１０のメンテナンス作業を行う作業者に対するユーザインタフェースとしての機能を有する。操作盤２８はタッチパネルを有する。操作盤２８は、制御装置３０と接続されており、タッチパネルに入力された操作に応じて制御装置３０に制御信号を送信するとともに、制御装置３０からの制御信号を受信してタッチパネルに必要な情報を表示させる。例えば操作盤２８は、タッチパネルにサービス運転からメンテナンス運転への切替指示が入力されると、メンテナンス運転への切替指示信号を制御装置３０に送信する。また例えば操作盤２８は、タッチパネルにメンテナンス運転からサービス運転への切替指示が入力されると、サービス運転への切替指示信号を制御装置３０に送信する。
【００２６】
「サービス運転」とは、機械式駐車場１０が通常稼働中であり、すべての駐車スペース５０への入出庫が可能な状態を指す。「メンテナンス運転」とは、作業者が駐車スペース５０に給電駐車スペース５２に設けられる各種装置の点検を初めとして、駐車スペース５０に関する様々な点検を行うためのモードである。メンテナンス運転への切替指示は、メンテナンス運転では、基本的にはすべての駐車スペース５０への入出庫が禁止される。ただし、特定の駐車スペース５０だけをメンテナンス運転にする場合、すなわちメンテナンス運転への切替指示信号に特定の駐車スペース５０を指定する情報が含まれている場合は、その給電駐車スペース５２への入出庫だけが禁止される。
【００２７】
図３は、電源装置から給電システム４０への供給電力の系統を示すブロック図である。機械式駐車場１０は、メインスイッチ３４と、複数の個別スイッチ３６と、をさらに備える。それらのスイッチは、例えば電磁接触器により構成される。実施の形態では、各格納棚はそれぞれ３つの給電駐車スペース５２を含むため、機械式駐車場１０は９つの給電駐車スペース５２を含む。したがって、機械式駐車場１０は、９つの給電システム４０を備える。メインスイッチ３４は、それら９つの給電システム４０のすべてと、電源装置との間の経路上に設けられる。個別スイッチ３６は、給電システム４０に対応して設けられる。各個別スイッチ３６は、メインスイッチ３４と各給電システム４０との間の経路上に設けられる。
【００２８】
メインスイッチ３４をオフにすると、電源装置とすべての給電システム４０の給電端子とは電気的に切り離される。したがって、給電端子とＥＶ車対応パレット１００が有する受電ユニットの受電端子とが機械的に接触していても、受電端子は電源装置と電気的に切り離される。また個別スイッチ３６をオフにすると、電源装置とその個別スイッチ３６に対応する給電システム４０が電気的に切り離される。
【００２９】
図４は、制御装置３０の機能および構成を示すブロック図である。ここに示す各ブロックは、ハードウエア的には、コンピュータのＣＰＵ（Central Processing Unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００３０】
制御装置３０は、受付部６０と、監視部６２と、通知部６４、スイッチ制御部６６と、を含む。受付部６０は、操作盤２８から送信される制御信号を受信する。受付部６０は、操作盤２８からメンテナンス運転への切替指示信号、サービス運転への切替指示信号を受信した場合、その内容をスイッチ制御部６６に送信する。
【００３１】
監視部６２は、駐車スペース５０に設けられる各種装置について監視する。例えば、監視部６２は給電システム４０を監視する。具体的には、監視部６２は、給電システム４０に設けられた電流計（不図示）から、給電システム４０が供給する電力の電流値を受け取り、充電が開始されたか否かを監視する。また、監視部６２は、給電システム４０が電力を供給する時間（すなわち充電時間）が所定の時間内か否かを監視する。充電が開始されない場合や充電時間が所定の閾値を超えた場合、接触不良や給電システム４０の不具合などの異常が生じていると考えられる。監視部６２は、こうした異常を検知すると、異常検知信号を生成し、通知部６４およびスイッチ制御部６６に送信する。異常検知信号は、異常が生じている駐車スペース５０を特定する情報を含んでもよい。
【００３２】
通知部６４は、監視部６２から異常検知信号を受信すると、異常が生じている旨を知らせるメッセージを含む通知信号を生成し、操作盤２８に送信する。通知信号は、異常が生じている駐車スペース５０を特定する情報を含んでもよい。操作盤２８は、受信した通知信号に対応する情報をタッチパネルに表示する。機械式駐車場１０の係員は、タッチパネルに表示されるメッセージを読むことで異常が生じていることを把握できる。
【００３３】
スイッチ制御部６６は、メインスイッチ３４と複数の個別スイッチ３６のそれぞれの作動状態すなわちオンオフを制御する。スイッチ制御部６６は、メンテナンス運転への切替指示信号を受信した場合、メインスイッチ３４をオフに制御する。スイッチ制御部６６は、メンテナンス運転への切替指示信号に特定の給電駐車スペース５２を指定する情報が含まれている場合、その給電駐車スペース５２の給電システム４０に対応する個別スイッチ３６をオフに制御する。
【００３４】
スイッチ制御部６６は、サービス運転への切替指示信号を受信した場合、メインスイッチ３４とすべての個別スイッチ３６をオンに制御する。スイッチ制御部６６は、サービス運転への切替指示信号に特定の給電駐車スペース５２を指定する情報が含まれている場合、その給電駐車スペース５２の給電システム４０に対応する個別スイッチ３６をオンに制御する。スイッチ制御部６６がオフの場合は、メインスイッチ３４もオンに制御する。
【００３５】
スイッチ制御部６６は、異常検知信号を受信した場合、メンテナンス運転への切替指示信号を受信した場合と同様に、メインスイッチ３４をオフに制御する。なお、異常検知信号に異常が生じている給電駐車スペース５２を特定する情報が含まれている場合、スイッチ制御部６６は、その給電駐車スペースの給電システム４０に対応する個別スイッチ３６だけをオフに制御してもよい。
【００３６】
以上のように構成された機械式駐車場１０の動作について説明する。
メンテナンスを実施する場合の動作を考える。作業者は、操作盤２８を操作し、メンテナンス運転への切り替えを指示する。操作盤２８は、切替指示信号を制御装置３０に送信する。制御装置３０は、切替指示信号を受信すると、メインスイッチ３４をオフに制御する。これにより、すべての給電駐車スペース５２の給電システム４０が、電源装置と電気的に切り離される。この状態で作業者は、給電駐車スペース５２を初めとする駐車スペース５０で、駐車スペース５０に設けられた各種装置のメンテナンスを実施する。このときメインスイッチ３４はオフであるため、給電駐車スペース５２の給電システム４０の給電端子は、電源装置と電気的に切り離されている。そのため、第１受電ユニット１０４または第２受電ユニット１０６の受電端子のうち、給電端子と接触していない受電ユニットの受電端子も、電源装置と電気的に切り離されている。したがって、作業者がその受電端子に接触しても感電しない。メンテナンスが終了すると、作業者は、操作盤２８を操作し、サービス運転への切り替えを指示する。操作盤２８は、切替指示信号を制御装置３０に送信する。制御装置３０は、切替指示信号を受信すると、メインスイッチ３４をオンに制御する。
【００３７】
なお、作業者は、操作盤２８を操作してメンテナンス運転への切り替えを指示する際に、メンテナンス作業を行う駐車スペース５０（特に給電駐車スペース５２）を指定してもよい。この場合、制御装置３０は、その給電駐車スペース５２に対応する個別スイッチ３６をオフに制御する。
【００３８】
続いて、給電駐車スペース５２で異常が生じた場合の動作を考える。制御装置３０は、異常を検知すると、メンテナンス運転の場合と同様に、メインスイッチ３４をオフに制御する。制御装置３０は、異常が検知された給電駐車スペース５２の給電システム４０に対応する個別スイッチ３６だけをオフに制御してもよい。これにより、少なくとも異常が生じている給電駐車スペース５２の給電システム４０の給電端子は、電源装置と電気的に切り離される。また制御装置３０は、操作盤２８のタッチパネルに異常が生じている旨を示すメッセージを表示させる。係員は、このメッセージを読むことにより異常が生じていることを把握し、メンテナンス作業を行う作業者に連絡する。作業者は、異常が生じている給電駐車スペース５２で、異常に応じた対処を実施する。このとき、少なくとも異常が生じている給電駐車スペース５２の給電システム４０の給電端子は、電源装置と電気的に切り離されている。そのため、第１受電ユニット１０４または第２受電ユニット１０６の受電端子のうち、給電端子と接触していない受電ユニットの受電端子も、電源装置と電気的に切り離されている。したがって、作業者がその受電端子に接触しても感電しない。対処が終了すると、作業者は、操作盤２８を操作し、サービス運転への切り替えを指示する。操作盤２８は、サービス運転への切替指示信号を制御装置３０に送信する。制御装置３０は、この信号を受信すると、すべてのスイッチをオンに制御する。
【００３９】
以上説明した実施の形態に係る機械式駐車場１０によると、サービス運転からメンテナンス運転に切り替えることにより、すべての給電駐車スペース５２の給電システム４０が、電源装置と電気的に切り離される。そのため、ＥＶ車対応パレット１００が有する受電ユニットの受電端子も、当然、電源装置と電気的に切り離される。これにより、作業者がメンテナンス作業を行っているときに、給電ユニット４４と接続していない受電ユニットの受電端子に接触しても感電しない。
【００４０】
また、実施の形態に係る機械式駐車場１０によると、特定の給電駐車スペース５２の給電システム４０を、電源装置と電気的に切り離すことができる。言い換えると、メンテナンスの必要がない給電駐車スペース５２の給電システム４０と電源装置との電気的な接続は維持される。これにより、メンテナンスによる充電への影響を最小限にできる。
【００４１】
また、実施の形態に係る機械式駐車場１０によると、異常を検知すると、サービス運転からメンテナンス運転に切り替わり、すべての給電駐車スペース５２の給電システム４０あるいは異常が生じている給電駐車スペース５２の給電システム４０が、電源装置と電気的に切り離される。異常が生じると、作業者は異常が生じている給電駐車スペース５２で作業を実施する必要があるため、作業者が感電しないように、少なくとも作業を実施する給電駐車スペース５２の給電システム４０を、電源装置と電気的に切り離す必要がある。これに対し実施の形態では、上述のように、異常を検知すると、作業者が操作盤２８を操作するまでもなく、異常が生じている給電駐車スペース５２の給電システム４０が電源装置と電気的に切り離される。したがって、作業者の手間を減らすことができる。
【００４２】
また、実施の形態に係る機械式駐車場１０によると、操作盤２８は、乗降室１２の外、すなわち駐車スペース５０から物理的に離れた位置に設けられる。作業者は、この操作盤２８を操作することにより機械式駐車場１０の運転状態を切り替える。したがって、作業者は、運転状態を切り替えるとき、特に、メンテナンス運転からサービス運転に切り替えるときには、駐車スペース５０から物理的に離れた位置にいることになる。そのため、サービス運転に切り替えるときに作業者が感電するのが防止される。
【００４３】
以上、実施の形態に係る機械式駐車場の構成と動作について説明した。この実施の形態は例示であり、それらの各構成要素の組み合わせにいろいろな変形例が可能なこと、またそうした変形例も本発明の範囲にあることは当業者に理解されるところである。
【００４４】
（変形例１）
実施の形態では、ＥＶ車対応パレット１００が、第１受電ユニット１０４および第２受電ユニット１０６の２つの受電ユニットを有する場合について説明したが、これに限られない。ＥＶ車対応パレット１００は、１つだけまたは３つ以上の受電ユニットを有していてもよい。
【００４５】
（変形例２）
実施の形態では、ＥＶ車対応パレット１００は、長辺に受電ユニットを有する場合について説明したが、これに限られない。ＥＶ車対応パレット１００は、長辺に代えて、あるいは長辺に加えて、短辺に受電ユニットを有してもよい。
【００４６】
（変形例３）
実施の形態では、操作盤２８が乗降室１２の外に設けられる場合について説明したが、これに限られない。操作盤２８は、駐車スペース５０、特に、給電駐車スペース５２から物理的に離れた位置に設けられればよく、例えば乗降室１２内に設けられてもよい。
【００４７】
（変形例４）
実施の形態では、乗降室が昇降路の上端に位置する、いわゆる地下式の機械式駐車場１０について説明したが、これに限られず、本実施の形態の技術的思想は乗降室が昇降路の下端に位置する場合や、昇降路の中間に乗降室を設ける場合にも適用できる。また、昇降路の四隅に支柱としてマスト９０が設置されている例について説明したが、２本のマストを昇降路の両側に設置しても良い。
【００４８】
（変形例５）
実施の形態では、平板状のパレットを使用する場合について説明したが、これに限られない。例えば、轍状の溝を形成したパレットや、櫛歯型のパレットなど、車両を搭載して格納することができる形状を有するパレットであればいかなる形状のパレットでも採用することができる。
【符号の説明】
【００４９】
１０  機械式駐車場、  ３０  制御装置、  ３４  メインスイッチ、  ３６  個別スイッチ、  ４０  給電システム、  ４２  給電盤、  ４４  給電ユニット、  ５０  駐車スペース、  ５２  給電駐車スペース、  ６０  受付部、  ６６  スイッチ制御部、  １０４  第１受電ユニット、  １０６  第２受電ユニット。
【図１】
0006440530.tif 000002
【図２】
0006440530.tif 000003
【図３】
0006440530.tif 000004
【図４】
0006440530.tif 000005